(57)【要約】【課題】電線の出し入れ位置の変更を簡単に行うことができる収納棚を提案する。【解決手段】本実施形態の収納棚１００は、電気機器が設置される棚板１０と、棚板１０を支持する側板２と、側板２に設けられる収納溝３と、収納溝３に着脱自在に取り付けられるカバー構造とを備える。側板２は、棚板１を複数の高さ位置のうちの任意の高さ位置で支持するように構成されている。収納溝３は、側板２のうち棚板１０が位置する側を向く面２０に設けられ、電気機器に給電するための電線９が収納される。カバー構造は、上下に並ぶ複数のカバー４を有する。前記複数の高さ位置毎に、上下に隣接する２枚のカバー４の分かれ目が位置する。【選択図】図１
2016002101.tif 000002
【特許請求の範囲】
【請求項１】
電気機器が設置される棚板と、
前記棚板を、複数の高さ位置のうちの任意の高さ位置で支持するように構成された側板と、
前記側板のうち前記棚板が位置する側を向く面に設けられ、前記電気機器に給電するための電線が収納される収納溝と、
前記収納溝に着脱自在に取り付けられるカバー構造とを備え、
前記カバー構造は、上下に並ぶ複数のカバーを有し、
前記複数の高さ位置毎に、上下に隣接する２枚の前記カバーの分かれ目が位置することを特徴とする収納棚。
【請求項２】
前記複数の高さ位置は、上下に隣接する２つの前記高さ位置間の距離がそれぞれ、互いに同じであり、
前記複数のカバーは、前記電線が挿通される挿通孔を上端又は下端に有する第一カバーと、前記電線が挿通される挿通孔を有さない第二カバーとを含み、
前記第一カバーと前記第二カバーのそれぞれの上下長さは、上下に隣接する２つの前記高さ位置間の距離と同じであることを特徴とする請求項１に記載の収納棚。
【発明の詳細な説明】
【技術分野】
【０００１】
本発明は、収納棚に関し、特に、側板に電線を収めることができる収納棚に関する。
【背景技術】
【０００２】
特許文献１には、照明器具付きの棚板を、任意の高さに取り付け可能とした収納家具が開示されている。この収納家具では、側板に上下方向に亘って一定ピッチ毎にダボ穴が設けられており、任意の高さのダボ穴に棚受けダボを嵌入して、棚受けダボ上に棚板を載置することによって、棚板が任意の高さに取り付けられる。また、この収納家具では、側板に上下に亘って溝を設け、この溝内に、照明器具に接続される電線コードを配線し、この溝を、複数本の配線カバーで覆い隠している。各配線カバーの上下長さは、上下に並ぶ２つのダボ穴間の距離よりも長い。
【０００３】
この収納家具では、上下に並ぶ２つの配線カバーの間の間隙から引き出した電線コードを、照明器具に接続している。電線コードは、棚板の下面近くの前記間隙から引き出されている。
【先行技術文献】
【特許文献】
【０００４】
【特許文献１】特開昭５９−２３０５０３号公報
【発明の概要】
【発明が解決しようとする課題】
【０００５】
上述した特許文献１の収納家具は、棚板の高さ位置を変更する際、変更後の棚板の高さ位置に電線コードの引出位置を合わせるためには、配線カバーを長手方向の一部で切断する等しなければならず、電線コードの引出位置の変更に手間がかかるものであった。
【０００６】
上記事情を鑑みて、本発明は、電線の出し入れ位置の変更を簡単に行うことができる収納棚を提案することを課題とする。
【課題を解決するための手段】
【０００７】
上記課題を解決するために、本発明の収納棚は、電気機器が設置される棚板と、前記棚板を、複数の高さ位置のうちの任意の高さ位置で支持するように構成された側板と、前記側板のうち前記棚板が位置する側を向く面に設けられ、前記電気機器に給電するための電線が収納される収納溝と、前記収納溝に着脱自在に取り付けられるカバー構造と、を備え、前記カバー構造は、上下に並ぶ複数のカバーを有し、前記複数の高さ位置毎に、上下に隣接する２枚の前記カバーの分かれ目が位置することを特徴とする。
【発明の効果】
【０００８】
本発明の収納棚にあっては、電線の出し入れ位置の変更を簡単に行うことができる。
【図面の簡単な説明】
【０００９】
【図１】図１Ａは本発明の一実施形態の収納棚を示す斜視図であり、図１Ｂは同上の収納棚の要部を示す斜視図であり、棚板を二点鎖線で示した図である。
【図２】図２Ａは同上の収納棚の側板を示す斜視図であり、図２Ｂは同上の収納棚の側板に取り付けられる配線ダクトを示す斜視図である。
【図３】同上の収納棚のカバー構造を示す斜視図である。
【図４】同上の収納棚の照明器具付きの棚板を示す側面図である。
【発明を実施するための形態】
【００１０】
以下、本発明を添付図面に示す実施形態に基いて説明する。
【００１１】
本発明の一実施形態の収納棚１００は、図１Ａ及び図１Ｂに示すように、複数の棚板１と、各棚板１を支持する複数の側板２と、側板２に設けられる収納溝３と、収納溝３に着脱自在に取り付けられるカバー構造とを備える。複数の棚板１は、電気機器が設置される棚板１０と、電気機器が設置されていない棚板１１とを含む。以下では、図１Ａの矢印Ｘ１で示す方向を前方とし、その反対方向を後方とし、矢印Ｙ１で示す方向を右方とし、その反対方向を左方とし、矢印Ｚ１で示す方向を上方とし、その反対方向を下方として、各構成について説明する。
【００１２】
側板２は、各棚板１を、複数の高さ位置のうちの任意の高さ位置で支持するように構成されている。本実施形態では、複数の高さ位置は、等間隔であり、上下に隣接する２つの高さ位置間の距離Ｌ２がそれぞれ、互いに同じである。
【００１３】
各側板２は、略矩形板状であり、一定の厚みの無垢の木材、合板やパーティクルボードや繊維板等の木質材、合成樹脂、金属等により形成される。各側板２のうち、棚板１が位置する側の面２０には、複数の取付穴６が上下方向に等間隔に並べて設けられている。上下に隣接する２つの取付穴６間の距離はそれぞれ、互いに同じである。ここで、２つの取付穴６間の距離とは、一方の取付穴６の穴の中心位置から、他方の取付穴６の穴の中心位置までの距離を意味する。この上下に隣接する２つの取付穴６間の距離が、上下に隣接する２つの高さ位置間の距離Ｌ２である。各取付穴６は、本実施形態では、円形状の穴であり、側板２を左右方向に貫通しない穴である。なお、各取付穴６は、側板２を左右方向に貫通する孔であってもよい。
【００１４】
複数の取付穴６は、各側板２の面２０のうち、前側の部位と後側の部位にそれぞれ、同じ配置で１列ずつ設けられる。そのため、左右２枚の側板２の対向する面２０には、同じ高さ位置にそれぞれ、４つの取付穴６が存在する。各取付穴６には、棚板１を支持する棚受け用ダボ７が取り付け可能である。棚受け用ダボ７は、例えば、円柱状である。
【００１５】
収納溝３は、側板２のうち、棚板１が位置する側を向く面２０に設けられ、電気機器に給電するための電線９が収納される。詳しくは、側板２の面２０の後端部、つまり、面２０のうち後列の複数の取付穴６よりも後方の部位に、収納溝３が設けられる。本実施形態では、右側に位置する側板２の左側の面２０の後端部に、図２Ａに示すように、上下方向を長手方向とする凹所２１を設け、この凹所２１内に上下方向に亘って配線ダクト８を取り付けている。凹所２１は、側板２の面２０の後端部のうち、電気機器が設置される棚板１０が配される範囲に少なくとも設けられる。本実施形態では、収納溝３は、凹所２１内に取り付けた配線ダクト８で構成される。電気機器に給電するための電線９とは、電気機器に電気的に接続されたリード線と、このリード線に一端が接続される配線コード９０である。
【００１６】
配線ダクト８は、棚板１が位置する側（本実施形態では左方）に開口し、上下方向を長手方向とするものである。配線ダクト８は、図２Ｂに示すように、底片８０と、底片８０の前後両端から該底片８０に直交するように連続させて設けられる側片８１と、を有する。側片８１の先端には、カバー構造が装着される略Ｌ字状をした装着部８２が設けられている。各装着部８２の先端部（左端部）からは、互いに離れる方向に引っ掛り片８３が突出している。底片８０には、ビスや釘等の固着具１０１が挿通される貫通孔（不図示）が設けられる。凹所２１内に収納された配線ダクト８は、底片８０の貫通孔に固着具１０１が挿通されることによって、凹所２１の内面に固着される。このとき、配線ダクト８は、側板２の面２０から左側に突出しない。なお、配線ダクト８の形状は、図２Ｂに示す形状に限定されず、断面Ｕ字状等でもよい。
【００１７】
収納溝３に着脱自在に取り付けられるカバー構造は、図１Ｂに示すように、上下に並ぶ複数のカバー４を有する。複数のカバー４は、図１Ｂ及び図３に示すように、電線９が挿通される挿通孔４０を上端に有する第一カバー１０４と、挿通孔４０を有さない第二カバー１０５とを含む。なお、第一カバー１０４は、挿通孔４０を下端に有するものであってもよい。各カバー４は、弾性を有する部材により形成され、例えば、合成樹脂や金属で形成される。また各カバー４は、軟質の合成樹脂等の容易に変形する材料により形成されることが好ましい。各カバー４は、配線ダクト８の装着部８２に着脱自在に取り付けられる。各カバー４の上下長さＬ１は、上下に隣接する２つの前記高さ位置間の距離Ｌ２、つまり上下に隣接する２つの取付穴６間の距離と同じである。言い換えると、第一カバー１０４と第二カバー１０５のそれぞれの上下長さＬ１は、同じであり、上記の距離Ｌ２と同じ長さである。
【００１８】
各カバー４は、覆い片４１と、覆い片４１の前後両端から該覆い片４１に直交するように連続して設けられる装着片４２とを有する。各装着片４２の先端部（右端部）からは、互いに近づく方向に引っ掛け片４３が突出している。覆い片４１の上端部に挿通孔４０が形成されている。挿通孔４０は、覆い片４１の上端部を左右方向（覆い片４１の厚み方向）に貫通し、且つ上方に向けて開口する孔であり、本実施形態では、台形状である。なお、挿通孔４０は、半円状などのその他の形状であってもよい。各カバー４の装着片４２が、配線ダクト８の装着部８２に被嵌され、引っ掛け片４３が引っ掛り片８３を乗り越えることで、各カバー４が配線ダクト８に装着される。各カバー４は、配線ダクト８に装着された状態で、覆い片４１の左側の面が、側板２の面２０と略面一となる。配線ダクト８は、長手方向に亘って複数のカバー４が取り付けられて、覆い隠される。ここで、配線ダクト８のうち、電気機器が設置される各棚板１０の設置位置またはその近くの箇所にそれぞれ挿通孔４０が位置するように第一カバー１０４が装着され、その他の箇所には、第二カバー１０５が装着される。第一カバー１０４の挿通孔４０には、リード線もしくは、配線コード９０が挿通される。
【００１９】
各棚板１は、略矩形板状であり、一定の厚みの無垢の木材、合板やパーティクルボードや繊維板等の木質材、合成樹脂、金属等により形成される。電気機器が設置される棚板１０は、例えば、図４に示すような照明器具５付きの棚板１０である。照明器具５は、導光棒５０と、導光棒５０の長手方向の一端又は両端に配されるＬＥＤ等の光源５１と、導光棒５０及び光源５１を棚板１０の後面に取り付ける取付部材５２と、透光カバー５３と、光源５１に電気的に接続されたリード線（図示せず）とを有する。光源５１からの光が導光棒５０に入射することによって、導光棒５０は長手方向に亘って上方及び後上方に光を出射し、この光が透光カバー５３を通過して、棚板１０の後端部及び棚板１０の後上方の壁面の照明が行われる。棚板１０の照明器具５は、側面視にてカバー４に重なる箇所に配される。
【００２０】
本実施形態の収納棚１００では、図１Ａに示すように、複数の棚板１がそれぞれ、２枚の側板２の任意の高さ位置に取り付けられている。ここで、各棚板１は、各側板２の同じ高さ位置にある４つの取付穴６に取り付けた棚受け用ダボ７上に載置されている。本実施形態の収納棚１００では、５つの棚板１が２枚の側板２間に支持され、一番上と一番下に位置する棚板１が、照明器具５の付いていない棚板１１であり、その間に位置する３つの棚板１が、照明器具５付きの棚板１０である。
【００２１】
本実施形態の収納棚１００では、右側の側板２の収納溝３には、長手方向に亘って複数のカバー４が装着されている。ここで、収納溝３のうち、照明器具５付きの棚板１０と同じ高さとなる箇所に挿通孔４０が位置するように第一カバー１０４が取り付けられ、その他の箇所に、第二カバー１０５が取り付けられている。本実施形態では、照明器具５付きの棚板１０の数に対応して、収納溝３には、３つの第一カバー１０４が装着されている。複数の第一カバー１０４はそれぞれ、棚板１０に対する挿通孔４０の位置が互いに同じとなるように、収納溝３に取り付けられる。ここで、上下に隣接する２枚のカバー４の分かれ目がそれぞれ、複数の高さ位置毎（複数の取付穴６毎）に位置する。本実施形態では、前記の分かれ目がそれぞれ、上下に隣接する２つの取付穴６間の中間部に位置する。照明器具５のリード線は、対応する第一カバー１０４の挿通孔４０を介して収納溝３内に導入され、収納溝３の内部で、配線コード９０の一端に接続されている。配線コード９０の他端は、図示しない電力供給源等に接続される。
【００２２】
本実施形態では、第一カバー１０４は、図１Ｂに示すように、その上端が、棚板１０の上面（透光カバー５３の上面）と略同じ高さとなるように、収納溝３に取り付けられている。これにより、第一カバー１０４の挿通孔４０が、棚板１０に取り付けた照明器具５によって覆われ、挿通孔４０を通じて収納溝３内に導入される照明器具５のリード線が外部に露出することが抑制される。なお、各第一カバー１０４の配置は、上記の配置に限定されるものではなく、棚板１０の上面と下面との間に、挿通孔４０が位置するように配置してもよいし、棚板１０の下面よりも下に、挿通孔４０が位置するように配置してもよい。
【００２３】
続いて、上述した本実施形態の収納棚１００の、照明器具５付きの棚板１０の高さ位置を変更する手順の一例について説明する。
【００２４】
まず、高さ位置を変更する棚板１０を持ち上げて、棚板１０を棚受け用ダボ７から取り外す。
【００２５】
次いで、この各棚受け用ダボ７をそれぞれ、変更先の高さ位置にある取付穴６に取り付ける。また、このとき、変更前の位置から変更先の位置までにある第一カバー１０４と第二カバー１０５とを全て収納溝３から取り外し、第一カバー１０４のみ、変更先の位置に取り付ける。
【００２６】
次いで、棚板１０を、高さ位置を変更した各棚受け用ダボ７上に載置する。このとき、第一カバー１０４の挿通孔４０に、照明器具５のリード線が挿通される。
【００２７】
次いで、取り外した第二カバー１０５を、収納溝３に取り付けて、収納溝３を覆い隠す。
【００２８】
以上説明した本実施形態の収納棚１００は、下記の構成を備えることを特徴とする。
【００２９】
すなわち、本実施形態の収納棚１００は、電気機器（例えば照明器具５）が設置される棚板１０と、棚板１０を支持する側板２と、側板２に設けられる収納溝３と、収納溝３に着脱自在に取り付けられるカバー構造とを備える。側板２は、棚板１を複数の高さ位置のうちの任意の高さ位置で支持するように構成されている。収納溝３は、側板２のうち棚板１０が位置する側を向く面２０に設けられ、電気機器に給電するための電線９が収納される。カバー構造は、上下に並ぶ複数のカバー４を有する。前記複数の高さ位置毎に、上下に隣接する２枚のカバー４の分かれ目が位置する。
【００３０】
以上のような構成とすることで、本実施形態の収納棚１００では、棚板１０を支持する複数の高さ位置毎に位置する、上下に隣接する２枚のカバー４の分かれ目に、電線９を挿通させることができる。そのため、本実施形態の収納棚１００では、棚板１０の高さ位置を変更する際、カバー４を長手方向の一部で切断する必要がなく、電線９の出し入れ位置の変更を簡単に行うことができる。
【００３１】
また、本実施形態の収納棚１００は、上記の構成に加えて、更に下記の構成を有する。なお、下記の構成は、付加的な構成である。
【００３２】
本実施形態の収納棚１００では、前記複数の高さ位置は、上下に隣接する２つの前記高さ位置間の距離Ｌ２がそれぞれ、互いに同じである。複数のカバー４は、電線９が挿通される挿通孔４０を上端又は下端に有する第一カバー１０４と、電線９が挿通される挿通孔４０を有さない第二カバー１０５とを含む。第一カバー１０４と第二カバー１０５のそれぞれの上下長さＬ１は、上下に隣接する２つの前記高さ位置間の距離Ｌ２と同じである。
【００３３】
このような構成とすることで、本実施形態の収納棚１００では、棚板１０の高さ位置を変更する際、第一カバー１０４と第二カバー１０５とを入れ替えることで、変更先の位置に電線９の出し入れ口を簡単に設けることができる。
【００３４】
なお、上述した実施形態では、電気機器が設置される棚板１０として、照明器具５を棚板１０の後端部に取り付けたものを例として説明したが、これに限定されない。電気機器が設置される棚板１０は、棚板１０の上面や下面に、照明器具５やその他の各種の電気機器を取り付けたもの、もしくは載置したものであってもよい。
【００３５】
また、上述した実施形態では、各棚板１を２枚の側板２で支持するものを例として説明したが、各棚板１は、室内の壁と、１枚の側板２とで支持するものであってもよい。
【００３６】
また、上述した実施形態では、棚板１を、側板２に設けた複数の取付穴６のうちのいずれかに取り付けた棚受け用ダボ７で支持する例について説明したが、これに限定されない。側板２は、複数の高さ位置のうち任意の高さ位置で棚板１を支持するように構成されていればよく、例えば、側板２は、Ｌ字状の金具を複数、等間隔に取り付けた構造や、側板２の一部を切り起こして形成した支持部を複数、等間隔に設けた構造等であってもよい。
【００３７】
また、上述した実施形態では、複数のカバー４が、挿通孔４０有りの第一カバー１０４と、挿通孔４０無しの第二カバー１０５とを含む例について説明したが、複数のカバー４は、挿通孔４０無しの第二カバー１０５のみで構成されるものであってよい。この場合、上下に隣接する２つのカバー４の分かれ目を通じて、電線９の出し入れを行えばよい。
【００３８】
また、上述した実施形態では、上下に隣接する２つの前記高さ位置間の距離Ｌ２がそれぞれ、互いに同じであり、各カバー４の上下長さＬ１が、距離Ｌ２と同じである例について説明したが、これに限定されない。つまり、上下に隣接する２つの前記高さ位置間の距離Ｌ２はそれぞれ、互いに異なる距離であってもよく、その場合、各カバー４の上下長さＬ１が、各距離Ｌ２に一対一で対応していればよい。この場合でも、棚板１０を支持する複数の高さ位置毎に、上下に隣接する２つのカバー４の分かれ目を位置させることができ、この分かれ目を通じて、電線９の出し入れを行うことができる。
【００３９】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００４０】
２      側板
３      収納溝
４      カバー
９      電線
１０    棚板
２０    面
４０    挿通孔
１００  収納棚
１０４  第一カバー
１０５  第二カバー
Ｌ１    上下長さ
Ｌ２    距離
【図１】
2016002101.tif 000003
【図２】
2016002101.tif 000004
【図３】
2016002101.tif 000005
【図４】
2016002101.tif 000006